(57)【要約】【課題】大きな照射野に対応する十分な開口部を比較的簡潔な構成で得ることができる放射線治療装置を提供する。【解決手段】放射線発生部からの放射線について治療対象への照射野を形成するための開口部２を設定する多葉コリメータＭＣを備え、多葉コリメータＭＣには、それぞれ所定方向へ移動可能に配設され開口部２の一部領域２Ａを形成する複数のリーフ３と、治療対象に応じて選択的に交換して装着され、複数のリーフ３により形成される開口部領域２Ａに隣接する開口部領域２Ｂを形成する交換型延長コリメータ６とを設けた。【選択図】図１
2006115956.tif 000002
【特許請求の範囲】
【請求項１】
放射線発生部からの放射線について治療対象への照射野を形成するための開口部を設定する照射野形成手段を備え、前記照射野形成手段には、それぞれ所定方向へ移動可能に配設され前記開口部の一部領域を形成する複数の照射野形成用移動部材と、治療対象に応じ交換して装着され、前記複数の照射野形成用移動部材により形成される開口部領域に隣接する開口部領域を形成する照射野形成用交換部材とを設けたことを特徴とする放射線治療装置。
【請求項２】
前記複数の照射野形成用移動部材の移動経路に沿い前記複数の照射野形成用移動部材により形成される開口部領域に対応して前記照射野形成用交換部材を装着する交換部材装着部を設け、前記照射野形成用交換部材を前記複数の照射野形成用移動部材の移動経路と垂直方向から前記交換部材装着部に装着することを特徴とする請求項１に記載の放射線治療装置。
【請求項３】
前記交換部材装着部に装着された前記照射野形成用交換部材が前記治療対象に適合したものであるかどうかを判別する交換部材判別手段と、前記交換部材判別手段により前記照射野形成用交換部材が前記治療対象に適合したものでないと判別されたときには前記治療対象への放射線の照射を阻止する放射線阻止手段とを設けたことを特徴とする請求項１または請求項２に記載の放射線治療装置。
【請求項４】
前記交換部材装着部への前記照射野形成用交換部材の装着状態が適正であるかどうかを判別する装着状態判別手段と、前記装着状態判別手段により前記照射野形成用交換部材の装着状態が適正でないと判別されたときには前記治療対象への放射線の照射を阻止する放射線阻止手段とを設けたことを特徴とする請求項１から請求項３までのいずれかに記載の放射線治療装置。
【請求項５】
所定方向へ移動可能に配設された放射線遮蔽用移動部材を有し、前記放射線遮蔽用移動部材の所定方向への移動によって前記複数の照射野形成用移動部材および照射野形成用交換部材により形成される開口部領域による放射線照射を制止する放射線遮蔽手段を設けたことを特徴とする請求項１から請求項４までのいずれかに記載の放射線治療装置。
【請求項６】
所定方向へ移動可能に配設された放射線遮蔽用移動部材を有し、前記放射線遮蔽用移動部材の所定方向への移動によって前記照射野形成用交換部材により形成される開口部領域による放射線照射を制止する放射線遮蔽手段を設けるとともに、前記放射線遮蔽用移動部材を、前記照射野形成用交換部材により形成される開口部領域による放射線照射を制止する第１の移動位置と、前記複数の照射野形成用移動部材および照射野形成用交換部材により形成される開口部領域による放射線照射を可能とする第２の移動位置へ選択的に移動し得るようにしたことを特徴とする請求項１から請求項５までのいずれかに記載の放射線治療装置。
【発明の詳細な説明】
【技術分野】
【０００１】
この発明は、放射線治療装置、特に、照射野形成手段としてコリメータを用いた放射線治療装置に関するものである。
【背景技術】
【０００２】
放射線治療装置は、放射線発生部および放射線輸送部と、放射線照射部および全体制御部などから構成される。放射線発生部は加速器、真空ダクト、電磁石、ビームモニタ等から構成される。放射線照射部は照射野拡大部および照射野形成部から構成される。
照射野形成装置の一部に、患者ごとに異なる照射野に対応する開口部を形成するための患者コリメータ、もしくは、多数枚のリーフをそれぞれ制御して必要な照射野に対応する開口部を形成するための多葉コリメータが用いられる（例えば、非特許文献１および非特許文献２参照）。
【０００３】
【非特許文献１】上田和宏、外５名，「ＨＩＭＡＣ用治療・照射システム」，三菱電機技報，１９５５年，Ｖｏｌ．６９，Ｎｏ．２，ｐ．３４−３９
【非特許文献２】坂本豪信、外５名，「ＨＩＭＡＣ用重粒子治療・照射機器」，三菱電機技報，１９５５年，Ｖｏｌ．６９，Ｎｏ．２，ｐ．４０−４４
【発明の開示】
【発明が解決しようとする課題】
【０００４】
上記のような従来の照射野形成手段を用いた放射線治療装置では大きな照射野への対応が困難であった。その理由は、縦４０ｃｍ、横３０ｃｍのような照射野に対応する場合で、患者コリメータを使った場合には、患者コリメータの寸法が大きくなり、重くなって、着脱が困難になるためである。多葉コリメータを使った場合は、十分な開口部を得るためには、リーフ枚数を増やす必要があって駆動機構が煩雑になり、また、リーフの駆動ストロークが長くなり駆動機構の制御が困難になることから、装置が大きく、高価になるといった問題があった。
【０００５】
この発明は、上記のような課題を解決するためになされてものであり、大きな照射野に対応する十分な開口部を比較的簡潔な構成で得ることができる放射線治療装置を提供しようとするものである。
【課題を解決するための手段】
【０００６】
この発明に係る放射線治療装置では、放射線発生部からの放射線について治療対象への照射野を形成するための開口部を設定する照射野形成手段に、それぞれ所定方向へ移動可能に配設され前記開口部の一部領域を形成する複数の照射野形成用移動部材と、治療対象に応じ交換して装着され、前記複数の照射野形成用移動部材により形成される開口部領域に隣接する開口部領域を形成する照射野形成用交換部材とを設けたものである。
【発明の効果】
【０００７】
この発明によれば、大きな照射野に対応する十分な開口部を比較的簡潔な構成で得ることができる放射線治療装置を提供することができる。
【発明を実施するための最良の形態】
【０００８】
実施の形態１．
この発明による実施の形態１を図１について説明する。図１は実施の形態１における照射野形成部の構成を示す平面図である。図１（ａ）は延長コリメータのコリメータ装着部への装着前の状態を示し、図１（ｂ）は延長コリメータのコリメータ装着部への装着後の状態を示している。
【０００９】
この発明による実施の形態における放射線治療装置は、全体として従来技術と同様に、放射線発生部および放射線輸送部と、放射線照射部および全体制御部などから構成される。
放射線発生部は、加速器、真空ダクト、電磁石、ビームモニタ等から構成される。放射線照射部は、照射野拡大部および照射野形成部から構成される。
放射線照射部における照射野拡大部では、放射線発生部から輸送された放射線ビームが患者の患部すなわちターゲット内にて一様な分布となるよう、ビーム進行方向に垂直な方向とビーム進行方向に並行な方向にビームの発散角やレンジを調整する。
放射線照射部における照射野形成部では、ビームに垂直な方向に放射線を遮断することで放射線がターゲット外に到達することを防止する。
照射野形成部には多葉コリメータを用いる。リーフの構造、駆動手段、リーフ位置に関する制御手段は既知のものでよい。
【００１０】
実施の形態１における照射野形成部の平面構成を示す図１において、照射野形成部を構成する多葉コリメータＭＣは、筐体枠１と開口部２からなり、放射線を遮蔽する複数枚のリーフ３のそれぞれの位置によって開口部２の形状が決められる。
多葉コリメータＭＣは、幅が１ｃｍ程度以下の複数枚の細長い短冊状のリーフ３を配列して構成され、後に詳述する駆動装置と制御装置を用いてリーフ３のそれぞれの位置を制御することにより、開口部２の形状を自由に変えることができる。多葉コリメータの最大開口度は、例えば１５ｃｍ×１５ｃｍや２０ｃｍ×１５ｃｍなどである。
多葉コリメータＭＣを使用すれば、開口部２を患部の形状に合わせることができるため、患者毎に製作する患者コリメータは不要となる。
図において、リーフ３の枚数は、便宜上、２０枚を配設するものとして表示しているが、実際には更に多くてもよい。
【００１１】
多葉コリメータＭＣには、複数枚のリーフ３を駆動する駆動部ＤＰおよび複数枚のリーフ３の位置を遠隔で制御する全体制御部ＣＰから構成される。
複数枚のリーフ３はそれらの１枚づつが全体制御部ＣＰにより制御され、駆動部ＤＰによりそれぞれ個別に駆動される。リーフ３を駆動する駆動部ＤＭでの動力としてはサーボモータ４などが使われ、駆動部ＤＰに設けられたラックアンドピニオン機構５により、サーボモータ４の動力が複数枚のリーフ３にそれぞれ伝達される。
【００１２】
このように、駆動部ＤＰを構成するサーボモータ４は、ラックアンドピニオン機構５を介して複数枚のリーフ３が開口部領域２Ａを形成するよう全体制御部ＣＰにより制御される。
全体制御部ＣＰは、駆動部ＤＰを制御する他、放射線発生部および放射線輸送部等の放射線治療装置全体についての制御機能を具備している。全体制御部ＣＰには、安全を確保するためのインターロック部ＩＰがあり、リーフ３の位置やその他の照射装置の構成要素が所定の状態にある以外は、放射線の発生と輸送を非許可とする機能を有する。
【００１３】
ここで、開口部領域２Ａを形成する複数枚のリーフ３は、従来と同様に、全体制御部ＣＰによる遠隔制御によって、リーフ３の長手方向に沿って駆動される。
複数枚のリーフ３は、図１における紙面と垂直方向に放射される放射線発生部からの放射線ビームと直交する平面において移動可能に配設され、リーフ３の長手方向に沿う移動によって、開口部領域２Ａを形成するものである。
【００１４】
リーフ３の駆動方向と垂直の方向に筐体枠１の拡大部分が設けられ、そこに交換型の延長コリメータ６を装着する装着部１ａが設けられる。
大きな照射野が必要な場合には、交換型延長コリメータ６を患部等の治療対象としてのターゲットの形状に合わせて放射線を照射し得る適切な開口部領域２Ｂを形成するように製作し装着する。リーフ３により形成される開口部領域２Ａと交換型延長コリメータ６により形成される開口部領域２Ｂとによって、開口部２が形成される。
照射するターゲットの広がりが小さい場合は交換型延長コリメータ６の代りとしてメクラ板を装着し、リーフ３により形成される開口部領域２Ａのみで開口部２を形成すればよい。
【００１５】
交換型延長コリメータ６や筐体枠１は、照射に用いる放射線を遮蔽できるよう、従来のリーフを用いた多葉コリメータと同様に、鉄やタングステンもしくは鉛など、適切な材質と十分な厚みで製作されるものとする。
リーフ３と交換型延長コリメータ６の間に生じる隙間や、交換型延長コリメータ６と筐体枠１との間に生じる隙間には、段差をつけるなど、既知の対策を施し、隙間を通して放射線が漏れないような手段を設ける。
交換型延長コリメータ６の装着方式としては、リーフ平面内において横からスライドさせて装着する方式と、リーフ平面に垂直な方向から押し当てて装着する方式が考えられる。スライド方式の場合は筐体枠１にレールを設けるとよい。いずれの方式においても蝶ナットでネジ留めするなど、治療中に交換型延長コリメータ６が落下しないように固定する。
【００１６】
そして、交換型延長コリメータ６が完全に装着された状態を検出するためのリミットスイッチＬＳからなる装着状態検出装置が筐体枠１に設けられる。
リミットスイッチＬＳの判別動作による装着状態検出装置の出力信号が放射線治療装置に設けられた全体制御部ＣＰのインターロック部ＩＰに入力され、交換型延長コリメータ６が完全に装着された状態になければ放射線の発生と輸送を非許可にする。
装着状態検出装置としては、リミットスイッチＬＳのほか、交換型延長コリメータ６が完全に挿入された場合にのみ作動するラッチ機構などが考えられる。
【００１７】
さらに、多葉コリメータＭＣの躯体としての筐体枠１には、交換型延長コリメータ６を識別するピンコネクタ付き識別機能部ＤＡからなる延長コリメータ識別装置が設けられ、治療計画で指定された交換型延長コリメータ６が装着されていることを確認する。交換型延長コリメータ６には、ピンコネクタ付き識別機能部ＤＡに対応するピンコネクタ付き識別機能部ＤＢが設けられる。
識別機能部ＤＡにおける識別手段のひとつの例として、交換型延長コリメータ６が完全に挿入された状態で、躯体側と交換コリメータ側とが多ピンコネクタで接続されるような機構とすることが考えられる。延長コリメータ側はオス型とし、ピンの有無により個別の配列パターンを作り、ピンに印加した電圧信号を検出することで識別できる。例えば１６本のピンコネクタにデジタル信号を使用して、１ビットをパリティビットとした場合、３２，７６８種類の識別番号を認識できる。
ピンコネクタ付き識別機能部ＤＡおよびピンコネクタ付き識別機能部ＤＢの接続で実行される識別動作による延長コリメータ識別装置の出力信号が放射線治療装置に設けられた全体制御部ＣＰのインターロック部ＩＰに入力され、装着された交換型延長コリメータ６が所望の交換型延長コリメータ６以外の場合は放射線の発生と輸送を非許可にする。
延長コリメータ識別装置としては、上記の構成に限らず、装着された交換型延長コリメータ６が所望の交換型延長コリメータ６であるかどうかが識別できれば、任意の構成を採用することができることは勿論である。
【００１８】
次に、交換型延長コリメータ６の装着動作について説明する。
交換型延長コリメータ６を装着する場合には、対をなす交換型延長コリメータ６，６がリーフ３によって形成される開口部領域２Ａを挟んで紙面上下に配設されている図１（ａ）に示す状態から交換型延長コリメータ６，６を、図示矢印方向に従って、図それぞれ筐体枠１に設けられた装着部１ａに向け移動し、装着部１ａに取り付ける。交換型延長コリメータ６，６が装着部１ａに取り付けられると図１（ｂ）に示す状態となる。
図１（ｂ）に示す状態において、前述のように、リーフ３により形成される開口部領域２Ａと交換型延長コリメータ６により形成される開口部領域２Ｂとによって、開口部２が形成される。
この状態で、リミットスイッチＬＳからなる装着状態検出装置は、交換型延長コリメータ６が完全に装着された状態かどうかを検出する。
また、ピンコネクタ付き識別機能部ＤＡおよびピンコネクタ付き識別機能部ＤＢからなる延長コリメータ識別装置は、装着された交換型延長コリメータ６が所望の交換型延長コリメータ６かどうかの識別動作を実行する。
【００１９】
この発明による実施の形態１では、多葉コリメータＭＣにおけるリーフ３の枚数を増やさなくとも開口の広い放射線治療装置を実現することができるため、装置全体の小型化、低コスト化に適している。
また、交換型延長コリメータ６は従来の患者コリメータに比べ軽量であるため、治療時の作業が容易となる。通常の手順では患者コリメータは患者が治療台に乗ってから装着されるため、部品の軽量化は患者に対する安全の理由からも望ましい。
通常、大きな照射野を必要とする治療は主に食道、背骨など縦長の領域が対象となる。この発明による構成のように開口部２を縦長の方向、すなわちリーフ駆動と垂直の方向に、広く取れることが望ましい。
また、この発明による実施の形態１では、交換型延長コリメータ６という新たな装置を必要とするが、患者によって使用する場合と使用しない場合があるため、上記の装着状態検出機能の追加により、交換型延長コリメータ６の外し忘れ、あるいは付け忘れに対し安全性を確保できる。
また、交換型延長コリメータ６を識別する延長コリメータ識別機能の追加により、誤った交換型延長コリメータ６の使用に対しても安全性を確保できる。
【００２０】
この発明による実施の形態１によれば、放射線発生部からの放射線について治療対象への照射野を形成するための開口部２を設定する多葉コリメータＭＣからなる照射野形成手段を備え、前記多葉コリメータＭＣからなる照射野形成手段には、それぞれ所定方向へ移動可能に配設され前記開口部２の一部領域２Ａを形成する複数のリーフ３からなる照射野形成用移動部材と、治療対象に応じて選択的に交換して装着され、前記複数のリーフ３からなる照射野形成用移動部材により形成される開口部領域２Ａに隣接する開口部領域２Ｂを形成する交換型延長コリメータ６からなる照射野形成用交換部材とを設けたので、大きな照射野に対応する十分な開口部を比較的簡潔な構成で得ることができる放射線治療装置を提供することができる。
【００２１】
また、この発明による実施の形態１によれば、前項の構成において、前記複数のリーフ３からなる照射野形成用移動部材の移動経路に沿い前記複数のリーフ３からなる照射野形成用移動部材により形成される開口部領域２Ａに対応して前記延長コリメータ６からなる照射野形成用交換部材を装着する筐体枠１に設けた装着部１ａからなる交換部材装着部を設け、前記交換型延長コリメータ６からなる照射野形成用交換部材を前記複数のリーフ３からなる照射野形成用移動部材の移動経路と垂直方向から前記装着部材１ａからなる交換部材装着部に装着するようにしたので、照射野形成用移動部材の移動経路と垂直方向から装着される照射野形成用交換部材により、大きな照射野に対応する十分な開口部を比較的簡潔な構成で得ることができる放射線治療装置を提供することができる。
【００２２】
さらに、この発明による実施の形態１によれば、前２項のいずれかの構成において、前記装着部材１ａからなる交換部材装着部に装着された前記延長コリメータ６からなる照射野形成用交換部材が前記治療対象に適合したものであるかどうかを判別するピンコネクタ付き識別機能部ＤＡからなる延長コリメータ識別装置で構成される交換部材判別手段と、前記延長コリメータ識別装置で構成される交換部材判別手段により前記交換型延長コリメータ６からなる照射野形成用交換部材が前記治療対象に適合したものでないと判別されたときには前記治療対象への放射線の照射を阻止する全体制御部ＣＰに設けられたインターロック部ＩＰからなる放射線阻止手段とを設けたので、大きな照射野に対応する十分な開口部を比較的簡潔な構成で得ることができるとともに、照射野形成用交換部材の誤装着を防止し安全性を確保できる放射線治療装置を提供することができる。
【００２３】
そして、この発明による実施の形態１によれば、前３項のいずれかの構成において、前記装着部材１ａからなる交換部材装着部への前記延長コリメータ６からなる照射野形成用交換部材の装着状態が適正であるかどうかを判別するリミットスイッチＬＳからなる装着状態検出装置で構成される装着状態判別手段と、前記装着状態検出装置で構成される装着状態判別手段により前記交換型延長コリメータ６からなる照射野形成用交換部材の装着状態が適正でないと判別されたときには前記治療対象への放射線の照射を阻止する全体制御部ＣＰに設けられたインターロック部ＩＰからなる放射線阻止手段とを設けたので、大きな照射野に対応する十分な開口を比較的簡潔な構成で得ることができるとともに、照射野形成用交換部材の異常装着状態を防止し安全性を確保できる放射線治療装置を提供することができる。
【００２４】
実施の形態２．
この発明の実施の形態２を図２に基づいて説明する。図２は実施の形態２における構成を示す斜視図である。
この実施の形態２において、ここで説明する特有の構成以外の構成については、先に説明した実施の形態１における構成と同一の構成内容を具備し、同様の作用を奏するものである。図中、同一符号は同一または相当部分を示す。
【００２５】
実施の形態２における構成を示す図２では、図１に示す実施の形態１における多葉コリメータＣＭの上流に補助コリメータ７を備え、補助コリメータ７の開口度を遠隔で制御できるものとする。
補助コリメータ７は２対のコリメータ部材７ａ，７ｂおよび７ｃ，７ｄから構成され、照射に用いる放射線を遮蔽するため、これらコリメータ部材７ａ，７ｂおよび７ｃ，７ｄは、鉄やタングステンやアルミもしくは鉛など、適切な材質と十分な厚みで製作されるものとする。
補助コリメータ７の４枚のコリメータ部材７ａ，７ｂおよび７ｃ，７ｄの内、１対のコリメータ部材７ｃ，７ｄは全体制御部ＣＰ（図１）から遠隔で駆動できるものとし、図２に示すように、放射線発生部を構成するビーム光源ＢＳからの放射線ビーム経路ＢＰと直交する平面において、リーフ３の駆動方向に対して垂直方向、すなわち交換型延長コリメータ６が装着部１ａへ装着される方向に、コリメータ部材７ｃ，７ｄを駆動できるようにすることで、交換型延長コリメータ６に合わせて、補助コリメータ７の開口部７Ａにおける開口度を調整することができる。
つまり、交換型延長コリメータ６の代わりに、メクラ板を使う場合、すなわち治療対象としてのターゲットの大きさが比較的小さくリーフ３の移動による開口部形成範囲内で十分な場合はリーフ３による開口部面積以外には放射線が当らないように、補助コリメータ７を中間位置まで閉じる。
治療対象としてのターゲットが大きく交換型延長コリメータ６を使い追加的な開口部を形成する場合は、補助コリメータ７を最大開口位置まで開けるようコリメータ部材７ｃ，７ｄを移動する。
【００２６】
リーフ３および交換型延長コリメータ６により開口部２（図１参照）を形成する多葉コリメータＭＣにおいて、開口部２を全く閉塞したと同じ状況を作り放射線が治療対象まで届かない全閉状態とする必要がある場合には、開口部７Ａを介して対向するコリメータ部材７ｃ，７ｄを図２に示す状態から互いに近接方向へ移動し、開口部７Ａを完全に閉塞する。ビーム光源ＢＳからの放射線は、コリメータ部材７ａ，７ｂおよび７ｃ，７ｄからなる補助コリメータ７により完全に遮断される。
【００２７】
一般的に放射線治療では、治療手順の中で、照射ビーム軸の最終確認を行うなど、放射線が患者まで届かない全閉状態を作ることが必要になる場合がある。多葉コリメータを用いた従来の治療装置では、多葉コリメータのリーフ３を閉じることにより、全閉状態を作ることができるが、延長コリメータ６を用いた場合には、全閉状態は作ることができない。
この発明による実施の形態２によれば、補助コリメータ７を閉じることで、多葉コリメータを用いた従来の治療装置のリーフを閉じるのと同じ全閉状態を作ることができる。また、多葉コリメータＣＭのリーフ３をターゲット形状に合った治療位置に設置し、開口形状を確認した後に全閉状態を作る場合でも、多葉コリメータＣＭのリーフ３を動かすことなく全閉状態を作ることができるため、制御手順が合理化できるとともに、リーフ３の再設定時による誤設定を回避し、治療の確実性を向上することができる。
【００２８】
図２では、治療ビームを便宜上、点光源ＢＳとして示してあるが、ビームが点光源でない場合、例えば平行ビームの場合でも同じ原理が適用できる。
ここでは、補助コリメータ７として、便宜上２対のコリメータ部材７ａ，７ｂおよび７ｃ，７ｄからなる構成について記述したが、補助コリメータ７の構成は１対のコリメータ部材７ｃ，７ｄで構成してもよい。
また、補助コリメータ７の１対のコリメータ部材７ｃ，７ｄは遠隔で駆動できるものとし、駆動方向は多葉コリメータＭＣのリーフ３の駆動方向と垂直方向としたが、コリメータ部材７ｃ，７ｄの駆動方向は、多葉コリメータＭＣのリーフ３の駆動方向と平行方向でもよく、あるいは、ビーム光源ＢＳからの放射線ビーム経路ＢＰと直交する面で移動する方向であれば特定の方向でなくてもよい
【００２９】
この実施の形態２では、上記実施の形態１における多葉コリメータＭＣの上流に、リーフ３の駆動と平行方向および垂直方向に対して放射線を遮蔽するための補助コリメータ７を備え、多葉コリメータＭＣの開口部２の周辺領域を遮蔽し、補助コリメータ７の開口部７Ａを遠隔操作によって可変とすることにより、交換型延長コリメータ６が遠隔駆動でない場合でも放射線を遮断する全閉状態を遠隔操作で作れることを特徴とする放射線治療装置が構成されている。
【００３０】
この発明による実施の形態２によれば、実施の形態１における構成において、所定方向へ移動可能に配設されたコリメータ部材７ｃ，７ｄからなる放射線遮蔽用移動部材を有し、前記放射線遮蔽用移動部材コリメータ部材７ｃ，７ｄからなるの所定方向への移動によって前記多葉コリメータＭＣにおける複数枚のリーフ３からなる複数の照射野形成用移動部材および交換型延長コリメータからなる照射野形成用交換部材により形成される開口部領域２，２ａ，２ｂによる放射線照射を制止する放射線遮蔽手段を設けたので、大きな照射野に対応する十分な開口を比較的簡潔な構成で得ることができるとともに、放射線照射の制止を適切に行える放射線治療装置を提供することができる。
【００３１】
実施の形態３．
この発明の実施の形態３を図３に基づいて説明する。図３は実施の形態３における構成を示す側面図である。
この実施の形態３において、ここで説明する特有の構成以外の構成については、先に説明した実施の形態２における構成と同一の構成内容を具備し、同様の作用を奏するものである。図中、同一符号は同一または相当部分を示す。
【００３２】
実施の形態３における構成を示す図３において、図２に示す実施の形態２におけるコリメータ部材７ｃ，７ｄの移動を所定位置に選択的に移動させるための構成が示されている。
コリメータ部材７ｃ，７ｄは、第１の所定位置Ｐ１および第２の所定位置Ｐ２に選択的に移動できるように構成されている。
コリメータ部材７ｃ，７ｄが第１の所定位置Ｐ１に位置する場合には、交換型延長コリメータ６にビーム光源ＢＳから照射される放射線が遮蔽され、複数枚のリーフ３へ向けてビーム光源ＢＳから放射線が照射される。
コリメータ部材７ｃ，７ｄが第２の所定位置Ｐ２に位置する場合には、交換型延長コリメータ６にビーム光源ＢＳから照射される放射線も遮蔽されず、複数枚のリーフ３および交換型延長コリメータ６へ向けてビーム光源ＢＳから放射線が照射される。
【００３３】
ここで、交換型延長コリメータ６を必要としない小さな照射野に対しては、図３に示すように、コリメータ部材７ｃ，７ｄを第１の所定位置Ｐ１まで移動させ、補助コリメータ７の開口部を部分的に閉じることで、補助コリメータ７で周辺領域を遮蔽することができる。
これによって、交換型延長コリメータ６の場所に挿入するメクラ板を省略することができ、交換型延長コリメータ６の交換が容易となる。
【００３４】
この実施の形態３では、実施の形態２に示す多葉コリメータＭＣの上流にリーフ３の駆動と平行方向および垂直方向に対して放射線を遮蔽するための補助コリメータ７を備え、多葉コリメータＭＣの開口部２の周辺領域を遮蔽し、補助コリメータ７の開口部７Ａを遠隔操作によって可変とすることにより、交換型延長コリメータ６を使用しない小さな照射野の場合に補助コリメータ７を部分的に閉じることにより交換型延長コリメータ６の部分に到達する放射線を遮断することができ、交換型延長コリメータ６の開口部にメクラ板等を使用しないか、あるいは延長開口部領域２Ｂの小さい範囲を部分的にメクラ板等で遮蔽することを特徴とする放射線治療装置が構成されている。
【００３５】
この発明による実施の形態３によれば、実施の形態２における構成において、所定方向へ移動可能に配設されたコリメータ部材７ｃ，７ｄからなる放射線遮蔽用移動部材を有し、前記コリメータ部材７ｃ，７ｄからなる放射線遮蔽用移動部材の所定方向への移動によって前記交換型延長コリメータ６からなる照射野形成用交換部材により形成される開口部領域２Ｂによる放射線照射を制止する補助コリメータ７からなる放射線遮蔽手段を設けるとともに、前記コリメータ部材７ｃ，７ｄからなる放射線遮蔽用移動部材を、前記交換型延長コリメータ６からなる照射野形成用交換部材により形成される開口部領域２Ｂによる放射線照射を制止する選択位置Ｐ１で示される第１の移動位置と、前記複数枚のリーフ３からなる複数の照射野形成用移動部材および交換型延長コリメータ６からなる照射野形成用交換部材により形成される開口部領域２Ａ，２Ｂによる放射線照射を可能とする選択位置Ｐ２で示される第２の移動位置へ選択的に移動し得るようにしたので、大きな照射野に対応する十分な開口を比較的簡潔な構成で得ることができるとともに、放射線照射の制止を適切かつ的確に行える放射線治療装置を提供することができる。
【図面の簡単な説明】
【００３６】
【図１】この発明による実施の形態１における構成を示す平面図である。
【図２】この発明による実施の形態２における構成を示す斜視図である。
【図３】この発明による実施の形態３における構成を示す側面図である。
【符号の説明】
【００３７】
１  筐体枠、２  開口部、３  リーフ、４  サーボモータ、５  ラックアンドピニオン機構、６  交換型延長コリメータ、７  補助コリメータ、ＭＣ  多葉コリメータ、ＢＳ  ビーム光源。
【図１】
2006115956.tif 000003
【図２】
2006115956.tif 000004
【図３】
2006115956.tif 000005